(57)【特許請求の範囲】
【請求項１】
略長方形の人工芝（１）の両長辺側側面近傍及び両短辺側側面近傍を残し、長方形に対して斜め方向に複数の溝（２、２・・・）を切り抜いた斜め溝付き人工芝（１０）の上面に長方形の同一数で略同一寸法の斜め溝（２０、２０・・・）を有する天板（３）を同じ位置に貼り付け、さらにその上に略同一寸法の長方形の重り板（４）を配設したことを特徴とするグランド整備具。
【請求項２】
請求項１記載のグランド整備具の長辺側側面（２１）、又は複数本の長尺の真直ぐな角柱（５、６・・・）の各々の下面に人工芝（１５、１６・・・）を貼り付けた均し具（２５、２６・・・）を間隔を開けて並べ、この均し具（２５、２６・・・）に複数本の桟（８、８・・・）を差し渡して連結したグランド整備具の長辺側側面（４１）に、この長辺側側面（２１又は４１）に対して直角に複数のT字形又はL字形の支持板（１１、１１・・・）を間隔を開けて取り付け、この支持板（１１、１１・・・）の先端に連結板（１３、１３・・・）の一方端部を軸（２３、２３・・・）によって上下動自在に軸支して、上記連結板（１３、１３・・・）の他方端部を軸（２４、２４・・・）によって上下動自在に軸支した長側面板（３０、３０・・・）の下辺にこの長側面板（３０、３０・・・）に対して直角又は斜めに間を置いて複数の削り平板（２２、２２・・・）を差し渡して設け、この長側面板（３０、３０・・・）の上辺に複数の長天板（３６、３６・・・）又は棒（４６、４６・・・）を差し渡して配設したことを特徴とする削り具付きグランド整備具。
【発明の詳細な説明】
【技術分野】
【０００１】
本発明は、グランド、テニスコート、野球場などの整備用具に関するものである。
【背景技術】
【０００２】
従来、野球場、広いグランド、テニスコート等の地面を整備する方法としては、木製、鉄製、アルミ製などのグランドレーキ（砂ならし）やコートブラシなどを引っ張りながら均す方法やその整備具で地面上を前後動させて削って均す方法が取られている。これは荒れた地面を均し盛り上がった土砂を窪んだ場所に移し平坦にする作業であるが、地面は乾燥した硬い状態や雨の後の軟らかい状態など様々であり、面積も広く丁寧にしなければならないので、以外と時間を要する作業である。整備用自動車や大型のブラシなどの整備具の整った野球場やグランドは一部に限られているので、殆どのグランドでは人力による整備作業が行われている。競技はこれらの整備作業後に行われ、競技の途中に荒れた場所を短時間で整備しなければならない場合もある。また地面に白いテープを釘で止めて白線として使用しているテニスコートや小学校の運動場ではグランド整備を難しくしている。出願人は先に特願２００３−２９３４７０号では、レーキの前後に均し板を設けて３枚の均し板で地面を削り均す方法と特願２００３−４０２４８１号では、長方形の天板の下面に人工芝を取り付けたグランド整備具を提案している。
【０００３】
【特許文献１】特願２００３−２９３４７０号
【特許文献２】特願２００３−４０２４８１号
【発明の開示】
【発明が解決しようとする課題】
【０００４】
グランドの良い状態を維持するには日常的に地面の整備作業をする必要がある。グランドの広範囲にわたる地面の土は雨や風によって徐々に流され移動して行くので、本来は元に戻す必要がある。グランド整備に使用するコートブラシは細長い角材の下面に毛を植え込んだブラシであり、地面には強くあたらずに撫でるようにして均すだけのものでありグランドの表面しか整備をすることが出来ない。また、グランドレーキも木・鉄・アルミなどで作られたアングルや長方形の板をある角度で引っ張ることによって地面上を削って均すものであり、整備具の横幅は狭くその整備具の通った後にはその整備具の線が残ってしまう。特願２００３−２９３４７０号は人力による整備作業をする用具であり部分的な盛り上がりや窪みを平坦に均すことを目的としている。特願２００３−４０２４８１号はバイク、自動車を利用した整備具であり、地面を均して整備の仕上がりも広範囲を平均して行うことが出来るが、地面の表面を均すものである。
【０００５】
本発明は、上述の点に鑑みて、接地面積の大きい整備具を地面に強く押さえて密着させるか又は地面を削る用具を取り付け、削ることと均すことを交互に複数回繰り返すことで平坦な地面や平坦に近いなだらかな地面になるように整備することを課題としたものである。
【課題を解決するための手段】
【０００６】
そこで、本発明の請求項１記載のグランド整備具（以下、本発明１と言う）は、略長方形の人工芝１の両長辺側側面近傍及び両短辺側側面近傍を残し、長方形に対して斜め方向に複数の溝２、２・・・を切り抜いた斜め溝付き人工芝１０の上面に長方形の同一数で略同一寸法の斜め溝２０、２０・・・を有する天板３を同じ位置に貼り付け、さらにその上に略同一寸法の長方形の重り板４を配設したことを特徴としている。
【０００７】
かかる構成により、図１に示すように本発明１にロープ、チェーンやパイプなどを取り付けて人、自転車、バイク、自動車で引っ張った場合、斜め溝付き人工芝１０の前面で地面を削り、その斜め溝付き人工芝１０の前面と斜め方向に切り抜いた溝２に溜まった土を、窪んだ場所に埋めながら地面を平坦に均すことが出来るものである。
【０００８】
本発明の請求項２記載の削り具付きグランド整備具（以下、本発明２と言う）は、請求項１記載のグランド整備具の長辺側側面２１、又は複数本の長尺の真直ぐな角柱５、６・・・の各々の下面に人工芝１５、１６・・・を貼り付けた均し具２５、２６・・・を間隔を開けて並べ、この均し具２５、２６・・・に複数本の桟８、８・・・を差し渡して連結したグランド整備具の長辺側側面４１に、この長辺側側面２１又は４１に対して直角に複数のT字形又はL字形の支持板１１、１１・・・を間隔を開けて取り付け、この支持板１１、１１・・・の先端に連結板１３、１３・・・の一方端部を軸２３、２３・・・によって上下動自在に軸支して、上記連結板１３、１３・・・の他方端部を軸２４、２４・・・によって上下動自在に軸支した長側面板３０、３０・・・の下辺にこの長側面板３０、３０・・・に対して直角又は斜めに間を置いて複数の削り平板２２、２２・・・を差し渡して設け、この長側面板３０、３０・・・の上辺に複数の長天板３６、３６・・・又は棒４６、４６・・・を差し渡して配設したことを特徴としている。
【０００９】
本発明の削り平板２２とは長方形の細長い板のことを言い水平又は前方下方に斜めに傾斜して取り付けている。図１２に示すように上記長側面板３０、３０・・・の上面に平板状の重り角板３２を設けこの重り角板３２の上面にT字状の把手１９を取り付けることも出来る。図１３に示すように長側面板３０、３０・・・の前面以外の面に網３３を配設することが出来る。
【００１０】
かかる構成により、図１０に示すように本発明２にロープ、チェーンやパイプを取り付けて人、自転車、バイク、自動車で引っ張った場合、前方に設けた平面削り具３２の複数本の削り平板２２、２２・・・によって地面の表面より少し深い部分の土を削ることが出来るので、削った土を後方のグランド整備具によって、窪んだ場所を埋めながら地面を平坦に均すことが出来るものである。
【発明の効果】
【００１１】
本発明１の効果として、図１に示すように本発明１にロープ、チェーンやパイプなどを取り付けて人、自転車、バイク、自動車で引っ張った場合、斜め溝付き人工芝１０は地面に密着して盛り上がった場所の土を削り人工芝１の前面に溜めてその土が人工芝の隙間から徐々に通り抜けて後方に設けた斜めの溝２によって、斜め方向に土を移動させながら窪んだ場所も同時に埋めて地面を平坦に均すことが出来るものである。
【００１２】
本発明２の効果として、図１０に示すように本発明２を取り付けたグランド整備具にロープ、チェーンやパイプを取り付けて人、自転車、バイク、自動車で引っ張った場合、前面に取り付けられた複数の削り平板２２、２２・・・によって、地面の表面より少し深い部分の土を削ることによって軟らかく解した土を後方の人工芝１５、１６・・・の各々の前面に溜めながら徐々に窪んだ場所を埋めて地面を平坦に均すことが出来るものである。
【発明を実施するための最良の形態】
【００１３】
グランド整備具にグランドを比較的深く削る機能のある複数本の削り具２２、２２・・・を設けていることと、削った後を均す機能のある人工芝１０、１５、１６・・・の両方を備えていることである。
【実施例１】
【００１４】
実施の形態の一例として、図１は本発明１の説明図である。略長方形の人工芝１の両長辺側側面近傍及び両短辺側側面近傍を残し、長方形に対して斜め方向に複数の溝２、２・・・を切り抜いた斜め溝付き人工芝１０の上面に長方形の同一数で略同一寸法の斜め溝２０、２０・・・を有する天板３を同じ位置に貼り付け、さらにその上に略同一寸法の長方形の重り板４を配設したことで構成されている。
【００１５】
本発明１を使用して整備する状態は地面の乾燥度によって異なる。乾燥している時は前面の人工芝１で削って溜まった土は、斜め溝付き人工芝１０の前面に溜めながら窪みを埋めつつ進むことが出来る。斜め溝付き人工芝１０の斜め方向に切り抜いた複数の溝２、２・・・は前面の人工芝１の下や隙間から通り抜けた土を斜め方向に移動させながら地面を均すことが出来る。斜めに切り抜く溝幅を狭くすることによって溝数を増やすことが出来るので、斜め方向に移動させる回数が多くなり、溜まった土で深い窪みも埋め易くなる。地面が水分を含んでいる時は、人工芝１の隙間に土が詰まるが、その詰まって硬くなった状態でも地面を均すことが出来る。この状態は人工芝１の磨耗を防ぐことになる。
【００１６】
実施の形態の一例として、図１で示している斜め溝付き人工芝１０の切り抜いた溝２０は正面から見て左後方に傾斜しているので、溜まった土は左方向に流されることになる。溝２０の切り抜き方には、中央から左側は左方向の傾斜の溝２０を右側は右方向の溝２０を切り抜いた場合は外側に土は押しやることになり、またその反対の溝２０の場合は中央に土を寄せることになる。
【００１７】
本発明１を使用して地面が平坦かそうでないかを見極める方法は、本発明１を引っ張って窪みを通り過ぎた場合に、地面に少しの窪みがあるとそれまで溜まっていた土がその窪みを埋めてしまうので、簡単に見つけることが出来る。綺麗に平坦になっている地面では、斜め溝付き人工芝１０の切り抜いた溝２０によって削って溜まった土を窪みに巧く埋め続けて均すことが出来る。地面を均す機能に重点を置いた場合は、本発明１の奥行きを大きくすることによって可能になる。
【００１８】
実施の形態の一例として、本発明１の天板３は横幅２ｍ、奥行き２４ｃｍ、厚み３ｃｍの木材を使用している。斜め溝付き人工芝１０は三菱化学の目土擦り込みアストロターフスペシャル直毛を使用し、中央部の斜めに切り抜いた溝２０の角度は４５度で大きさは７ｃｍ×１７ｃｍあるので、前面の人工芝１の下や隙間から通り抜けた土を斜め方向に移動させて均すことが出来る。
【００１９】
本発明１の使用方法は天板３又は重り板４の前方長辺側側面２１に２箇所にロープを取り付けるか、或いはU字型のパイプを重り板４か又は両短辺側側面に取り付けて人、自転車、バイク、自動車によって引っ張って使用することが出来る。また本発明１の横幅が１ｍ、奥行き１０ｃｍ、天板１の厚み１ｃｍの小型のタイプは重り板４上の中央部に握り棒の先端を取り付けて、その握り棒を押していくか、または引っ張るようにして地面を削り均して整地することが出来る。これはグランドゴルフ、ゲートボールに適している。天板３に貼り付けている斜め溝付き人工芝１０が磨耗した時には、重り板４に取り付けてある重り板４から天板３を簡単に取り外して交換することが出来る。
【実施例２】
【００２０】
実施の形態の一例として、図１０は本発明２の説明図である。請求項１記載のグランド整備具の長辺側側面２１、又は複数本の長尺の真直ぐな角柱５、６・・・の各々の下面に人工芝１５、１６・・・を貼り付けた均し具２５、２６・・・を間隔を開けて並べ、この均し具２５、２６・・・に複数本の桟８、８・・・を差し渡して連結したグランド整備具の長辺側側面４１に、この長辺側側面２１又は４１に対して直角に複数のT字形又はL字形の支持板１１、１１・・・を間隔を開けて取り付け、この支持板１１、１１・・・の先端に連結板１３、１３・・・の一方端部を軸２３、２３・・・によって上下動自在に軸支して、上記連結板１３、１３・・・の他方端部を軸２４、２４・・・によって上下動自在に軸支した長側面板３０、３０・・・の下辺にこの長側面板３０、３０・・・に対して直角又は斜めに間を置いて複数の削り平板２２、２２・・・を差し渡して設け、この長側面板３０、３０・・・の上辺に複数の長天板３６、３６・・・又は棒４６、４６・・・を差し渡して配設したことで構成されている。
【００２１】
図１１に示しているように本発明２の削り平板２２、２２・・・は水平か又は前方下方斜めに傾斜させて取り付けてあるので、地面は連続して表面より少し深い部分の土を削り平板２２、２２・・・によって削ることが出来る。そして削った土は溜まることなく削り平板２２、２２・・・の上を乗り越えて均し具２５の前面に溜められる。この土を人工芝１５、１６・・・の各々の前面に溜めながら徐々に窪んだ場所を埋めて地面を平坦に均すことが出来るものである。必要に応じて最前部の削り平板２２の前辺複数箇所に前方上方斜めに傾斜させた滑り板３８を設けることも出来る。図１２に示しているように重り角板３２を設けた場合はこの重り角板３２の重量で重くなった削り平板２２、２２・・・によって、地面の表面より比較的深い部分の土を削り軟らかく解された土は後方の人工芝１５、１６・・・の各々の前面に溜められ、その土を窪んだ場所を埋めながら地面を平坦に均すことが出来るものである。
【００２２】
実施の形態の一例として、本発明２の平面削り具３９の大きさは２４ｃｍ×１７０ｃｍある。この平面削り具３９は厚み４ｍｍ×奥行き３２ｍｍ×長さ１７０ｃｍの鉄製の削り平板２２を６．７ｃｍの間隔を開けて３枚平行に設け、長側面板３０は厚み４ｍｍ×奥行き３２ｍｍ×長さ２４ｃｍの平板を６枚立設させ、その上面に最前後部に２枚の長天板３６、３６を設けた平面削り具３９本体の前面４箇所に前方上方に斜めに傾斜させた滑り板３８を設けたものを上下回動自在に４ｍｍ×奥行き３２ｍｍ×長さ１０ｃｍの連結板１３によってグランド整備具に取り付けてある。土の少ない地面では人工芝１５、１６・・・の前面には土は溜まらないが、地面をうすく削って平坦に均すことが出来た。また土の多い乾燥した地面では削り平板２２、２２・・・の上には土が大きく盛り上がるが、人工芝１５、１６・・・で均されて地面は綺麗な平坦になった。
【００２３】
実施の形態の一例として、図１２に示すように本発明２の平面削り具３９の上面に取り付けた重り角板３２の上面に把手１９を取り付けて、その把手１９を人が握って座っているグランド整備具をロープ、チェーンやパイプを取り付けて人、自転車、バイク、自動車で引っ張った場合、人の体重によって削り平板２２、２２・・・全体で地面を強く押さえて削ることが出来るので、冬季に凍った地面や荒れた状態で乾燥したグランドで非常に効果的に使用することが出来る。
【００２４】
図１３に示すように本発明２の平面削り具３９の前面以外に網３３を設けることによって前方に設けた複数本の削り具２２、２２・・・で地面を比較的深く削って軟らかく解された土を網２２の中に溜めて移動している間に、土は攪拌されて比較的小さい小石、ゴミなどを濾して網３３の中に溜めながら窪んだ場所に埋めて地面を平坦に均すことが出来るものである。網３３の目の粗さによって濾す小石、ゴミの大きさを変えることが出来る。
（参考例１）
【００２５】
実施の形態の一例として、図２は参考例１の説明図である。複数本の長尺の真直ぐな角柱５、６・・・の各々の下面に人工芝１５、１６・・・を貼り付けた均し具２５、２６・・・を間隔を開けて並べ、この均し具２５、２６・・・に複数本の桟８、８・・・を差し渡して連結したことで構成されている。
【００２６】
図２に示しているのは参考例１の均し具２５、２６・・・を間隔を置いて平行に設け両端の桟８、８はアングルを取り付け螺子止めしている。本発明２の最前部の角柱５に引っ掛け具を設けてロープで引っ張った場合、複数本の均し具２５、２６・・・に貼り付けた人口芝１５、１６・・・で地面の表面を削ってその削った土は人工芝１５、１６・・・の下に均されて行く。これを複数本の均し具２５、２６・・・で繰り返して行われるので、地面を綺麗に均すことが出来るものである。
【００２７】
参考例１の角柱は８．５ｃｍ×３．５ｃｍ×２ｍ４３ｃｍの木製を使用し、桟８、８・・・は７ｃｍ×７ｃｍ×１７ｃｍの鉄製のアングルを使用している。人工芝１５、１６・・・は三菱化学の目土擦り込みアストロターフスペシャル直毛を使用している。本発明２の連結した整備方法としては、前方に置いた一台の両端にロープを取り付け後方の横方向に並べた２台目と３台目にロープを引っ掛けて引っ張ることが出来る。ロープを使用することで回転も簡単にすることが出来る。またグランド整備具を横に連結すると４．８６ｍの横幅にすること出来るので、自動車で引っ張れば効率的に整備をすることが出来る。
【００２８】
実施の形態の一例として、図３で示しているのは桟８、８の締結部分を弛めて均し具２５、２６・・・を一方にずらして間隔を開けた状態で桟８、８の締結部分を締めて造った形である。これを引っ張った場合、引っ張るロープの引っ掛ける場所によって削った土の移動する方向が変わってくる。均し具２５の右側端部と均し具２７の左側端部にロープを取り付けて手前に引っ張った場合は右の方向に土は流れて行くことになる。この整備具を均し具２５の右側端部に２０ｍぐらいの長いロープの一方端部を取り付けて他方端部を固定した場所を中心としてロープをピンと張った状態で大きく左回りに回転させながら同時に固定した場所でこのロープを巻き取って行くことによって土は徐々に中心方向に移動しながら円形の地面を平坦に均すことが出来る。
【００２９】
実施の形態の一例として、図４に示しているのは下面の均し具２５、２６・・・と同じ人工芝５、６・・・を上面に貼り付けてあるものでグランド整備具の耐久性が２倍になるだけでなく人工芝５５、５６・・・の一方の面は乾燥した地面用として使用し、他方の面は水分を含んだ地面用など使い分けることが出来る。これは水分を含んだ地面で使用すると人口芝１５、１６・・・の隙間に土が入り込んでその状態のまま放置して置くと人工芝１５、１６・・・といっしょに固まるので土を取る事が難しくなってくる。しかし土で固まった人口芝１５、１６・・・は摩耗性に優れているので、両面を上手く使い分けてグランド整備をすることが出来る。
【００３０】
実施の形態の一例として、図５示しているのは角柱５に重り９を取り付けたものである。重り９は均し具２５の長さに関係なく均し具２５の取り付け位置や複数の均し具２５、２６・・・の組み合わせる形によって長さも形も変えて取り付けることが出来る。人工芝１５の一本のサイズは長さ２．６ｃｍ×太さ１ｍｍあり１立方ｃｍに６４８本密集させて製作されているので、重い重り９を乗せた場合でも人工芝１５の先端全部に重量は分散されて地面を均一に押さえるので、平坦に削り均すことが出来る。
【００３１】
重い重り９、９・・・を複数の角柱５、６・・・に乗せた場合、均し具２５、２６・・・は間隔が開けて設けてあり各々の均し具２５、２６・・・が全面に削った土を溜めては窪んだところに埋めることを繰り返し行うので、均し具２５、２６・・・の数は多い方がより綺麗に均すことが出来る。実施の形態の一例として、重り９、９・・・はアングル、チャンネル、平板などの形のものがある。そしてこの重り９を角柱５の上に乗せるか側面に取り付けるか又は角柱５に被せるように取り付けることができる。重り９の材質は鉄、ステンレス、鋳物、コンクリートなど重りものが良い。
【００３２】
実施の形態の一例として、図６に示しているのは重り天板１４を参考例１の上面に取り付けたものである。重り天板１４は一枚のものであるが、複数枚の重り天板１４、１４・・・に分けて取り付けることも出来る。重り天板１４は横幅２ｍ、奥行き２４ｃｍ、厚み３．２ｍｍの鉄板の全側面を直角に３ｃｍ下方に折り曲げたものをねじ止めている。そして鉄板の重量は１３．５ｋｇあるので、バイク、自動車を低速で走らせると地面に密着して綺麗に削り均すことが出来る。参考例１の本体の長さは２．４３ｍあるが、この整備具の両短辺側側面を連結させて４．８６ｍの長いグランド整備具にして長辺側側面２１にロープを取り付け自動車、バギー車で引っ張ることによって地面を幅広く削り均すことが出来るので、簡単に短時間でグランド整備をすることが出来る。バイク、自動車のスピードを上げて整備具を引っ張る時は重り天板１４の重さは重い方が地面を強く押さえることになる。
（参考例２）
【００３３】
実施の形態の一例として、図７は参考例２の説明図である。グランド整備具の長辺側側面に、この長辺側側面２１又は４１に対して直角に複数のT字形又はL字形の支持板１１、１１・・・を間隔を開けて取り付け、この支持板１１、１１・・・の他方端部にそれぞれの補助板３１、３１・・・を垂下させ、この補助板３１、３１・・・の下端に削り具１２を差し渡して配設したことで構成されている。
【００３４】
実施の形態の一例として、図７に示している参考例２は削り具１２又は均し具２５にロープ用取り付け金具に取り付けたロープを人、自転車、バイク、自動車で引っ張った場合、前方に取り付けた削り具１２の先端で地面の盛り上がった部分の土を削り、その削った土は削り具１２の上を乗り越え人工芝１５、１６・・・の前面に溜められる。そして人工芝１５、１６・・・によって平坦に削り均すことが出来た。この削り具１２の長さは１７０ｃｍ×厚み４ｍｍ×奥行き３２ｍｍｍの鉄製であり、補助板３１支持板１１も同じもので造っている。
【００３５】
均し具１２の取り付け方法としては最前部の角柱５の長辺側側面４１の複数箇所に横T字形の支持板１１、１１・・・を取り付け、この支持板１１、１１・・・の他方端部から垂下した補助板３１、３１・・・の下端に削り具１２を取り付けたものであるが、補助板３１と支持板１１を一体にして斜めに傾斜したもので取り付けることも出来る。別の均し具１２取り付け方法としては支持板１１、１１・・・の他方端部に穴を設け、また削り具１２の複数箇所に立設した補助板３１、３１・・・に長穴を設けてボルトで締結して、削り板１２で地面を削る角度と人工芝１５、１６・・・が摩耗した時に上下の調整ができるようにすることが出来る。削り具１２の他の型としてはレーキ、アングル、台形、V字形や二分割させたハ字形でも良い。削り具１２の長さも図７ではグランド整備具より短いものを取り付けているが、整備方法に合わせていろいろ製作すれることが出来る。
【００３６】
実施の形態の一例として、削り具１２の別の取り付け方として図８に示すように均し具２５、２６・・・の側面に取り付けた桟８１に長板３４、３４を設け、この長板３４、３４の先端にアングル型削り具３５を差し渡して長板３４、３４を桟８１にボルト３７、３７で取り付けたものである。均し具２５、２６・・・とアングル型削り具３５は同じ長さであるが、長板３４、３４の略先端部を内側に曲げて均し具２５、２６・・・より短いものにすることも出来る。また均し具２５の上面から長板３４、３４・・・を延設してアングル型削り具３５を取り付けても良い。アングル型削り具３５の材質は鉄、ステンレス、アルミ、鋳物、木などで造られたものである。また出願人の特願２００３−２９３４６９号のグランド濾し具を取り付けることも出来る。
【図面の簡単な説明】
【００３７】
【図１】本発明１の実施の形態の一例を示す斜視図である。
【図２】参考例１の実施の形態の一例を示す斜視図である。
【図３】参考例１の実施の形態の一例を示す斜視図である。
【図４】参考例１の実施の形態の一例を示す斜視図である。
【図５】参考例１の実施の形態の一例を示す斜視図である。
【図６】参考例１の実施の形態の一例を示す斜視図である。
【図７】参考例２の実施の形態の一例を示す斜視図である。
【図８】参考例２の実施の形態の他の一例を示す斜視図である。
【図９】参考例２の実施の形態の一例を示す斜視図である。
【図１０】本発明２の実施の形態の一例を示す斜視図である。
【図１１】本発明２の実施の形態の一例を示す側面図である。
【図１２】本発明２の実施の形態の一例を示す斜視図である。
【図１３】本発明２の実施の形態の一例を示す斜視図である。
【符号の説明】
【００３８】
１    人口芝
２    溝
３    天板
４    重り板
５    角柱
６    角柱
７    角柱
８    桟
９    重り
１０    斜め溝付き人工芝
１１    支持板
１２    削り具
１３    連結板
１４    重り天板
１５    人工芝
１６    人工芝
１７    人口芝
１８    平板
１９    把手
２０    天板の溝
２１    長辺側側面
２２    削り平板
２３    軸
２４    軸
２５    均し具
２６    均し具
２７    均し具
２８    長穴
３０    長側面板
３１    補助板
３２    重り角板
３３    網
３４    長板
３５    アングル型削り具
３６    長天板
３７    ボルト
３８    滑り具
３９    平面削り具
４１    長辺側側面
４６    棒
５５    人口芝
５６    人口芝
５７    人口芝
８１    桟
【要約】
【課題】
接地面積の大きい整備具を地面に強く押さえて密着させるか又は地面を削る用具を取り付け、削ることと均すことを交互に複数回繰り返すことで平坦な地面や平坦に近いなだらかな地面になるように整備することを課題としたものである。
【解決手段】
略長方形の人工芝１の両長辺側側面近傍及び両短辺側側面近傍を残し、長方形に対して斜め方向に複数の溝２、２・・・を切り抜いた斜め溝付き人工芝１０の上面に長方形の同一数で略同一寸法の斜め溝２０、２０・・・を有する天板３を同じ位置に貼り付け、さらにその上に略同一寸法の長方形の重り板４を配設したことである。
【選択図】  図１
【図１】
0003691835.tif 000002
【図２】
0003691835.tif 000003
【図３】
0003691835.tif 000004
【図４】
0003691835.tif 000005
【図５】
0003691835.tif 000006
【図６】
0003691835.tif 000007
【図７】
0003691835.tif 000008
【図８】
0003691835.tif 000009
【図９】
0003691835.tif 000010
【図１０】
0003691835.tif 000011
【図１１】
0003691835.tif 000012
【図１２】
0003691835.tif 000013
【図１３】
0003691835.tif 000014